(57)【要約】【課題】建物ユニットにカバーを被せたとき、カバーが建物ユニットに密着し、輸送時にカバーが膨らまず、安定した輸送が可能な建物ユニット用カバーを提供する。【解決手段】建物ユニット用カバー９は、長辺方向に直角に２つに分割されたカバー体１０，２０から構成され、一方のカバー体１０は、短辺方向の一方の短辺側の側面１１と、該側面に連続する上面１２及び長辺側の２つの側面１３，１４とを備えると共に、上面及び２つの側面の端部に連結部１５が形成され、他方のカバー体２０は、短辺方向の他方の短辺側の側面２１と、該側面に連続する上面２２及び長辺側の２つの側面２３，２４とを備えると共に、上面及び２つの側面の端部に連結部２５が形成され、一方のカバー体及び他方のカバー体は建物ユニット１の長辺方向の途中で重ねられるように、長辺方向の長さが設定され、一方のカバー体の連結部と他方のカバー体の連結部により連結される。【選択図】図３
2010133214.tif 000002
【特許請求の範囲】
【請求項１】
建物ユニットを被覆するカバーであって、
該カバーは、複数に分割されたカバー体から構成され、
該カバー体は、前記建物ユニットに被せられた状態で、その端部が重ねられて連結されることを特徴とする建物ユニット用カバー。
【請求項２】
長辺方向及び短辺方向を有する直方体状の建物ユニットを被覆するカバーであって、
該カバーは、長辺方向に直角に２つに分割されたカバー体から構成され、
一方のカバー体は、短辺方向の一方の短辺側の側面と、該側面に連続する上面及び長辺側の２つの側面とを備えると共に、前記上面及び２つの側面の端部に連結部が形成され、
他方のカバー体は、短辺方向の他方の短辺側の側面と、該側面に連続する上面及び長辺側の２つの側面とを備えると共に、前記上面及び２つの側面の端部に連結部が形成され、
前記一方のカバー体及び他方のカバー体は、前記建物ユニットの長辺方向の途中で重ねられるように、長辺方向の長さが設定され、一方のカバー体の連結部と他方のカバー体の連結部により連結されることを特徴とする建物ユニット用カバー。
【請求項３】
長辺方向及び短辺方向を有する直方体状の建物ユニットを被覆するカバーであって、
該カバーは、長辺方向に直角に複数に分割されたカバー体から構成され、
前記建物ユニットの長辺方向の両端部を被覆する２つの両端カバー体は、それぞれ短辺側の側面と、該側面に連続する上面及び長辺側の２つの側面とを備えると共に、前記上面及び２つの側面の端部に連結部が形成され、
前記建物ユニットの中央部を被覆する中央カバー体は、該建物ユニットの中央部の上面と、これに連続する長辺側の２つの側面とを備えると共に、前記上面及び２つの側面の両端部に連結部が形成され、
前記２つの両端カバー体及び中央カバー体は、前記建物ユニットの長辺方向の途中で重ねられるように、長辺方向の長さが設定され、両端カバー体の連結部と中央カバー体の連結部により連結されることを特徴とする建物ユニット用カバー。
【請求項４】
前記複数のカバー体が重ねられる重ね部には、素材のシート状物の端部に幅の狭いベルト状物と、幅の広いベルト状物が、その端面が揃うように順に固定され、
前記複数のカバー体のそれぞれの端面の反対側に、相互に差込み可能な差込部が形成されていることを特徴とする請求項１〜３のいずれかに記載の建物ユニット用カバー。
【請求項５】
前記複数のカバー体の端部には、素材のシート状物の端部にベルト状物を、その端面が前記シート状物の端部に揃うように固定した連結部が形成されており、前記ベルト状物を基準として前記シート状物を折り返して連結することを特徴とする請求項１〜３のいずれかに記載の建物ユニット用カバー。
【請求項６】
前記複数のカバー体は、前記連結部同士が連結された状態で、折り返しできるようにその長辺方向の長さが設定されていることを特徴とする請求項１〜５のいずれかに記載の建物ユニット用カバー。
【請求項７】
前記連結部は、それぞれのカバー体を構成するシート状物の端部の上面に固定された端部ベルト状物と、該端部ベルト状物の幅より大きい幅の間隔を有してシート状物の上面に固定された内側ベルト状物と、該内側ベルト状物の上面から端部ベルト状物の方向に延出されたシート状物と、該シート状物の下面に前記端部ベルト状物と対向するように固定された上側ベルト状物とから構成されることを特徴とする請求項１〜３のいずれかに記載の建物ユニット用カバー。
【請求項８】
前記複数のカバー体は、前記連結部の外周を巻回し該カバー体を前記建物ユニットに締め付ける固定ベルトを備えることを特徴とする請求項１〜７のいずれかに記載の建物ユニット用カバー。
【請求項９】
長辺方向及び短辺方向を有する直方体状の建物ユニットを被覆するカバーであって、
該カバーは、その長辺方向の長さが前記建物ユニットの長辺方向の長さより大きく設定されており、
前記カバーは、その長辺方向の途中に、前記長辺方向の大きく設定された長さを折り返して畳み込む折り返し部を備えることを特徴とする建物ユニット用カバー。
【請求項１０】
前記折り返し部は、その外周を巻回する固定ベルトで前記建物ユニットに締め付けられることを特徴とする請求項９に記載の建物ユニット用カバー。
【発明の詳細な説明】
【技術分野】
【０００１】
本発明は、ユニット建物を構成する建物ユニットを被覆し、雨水等の浸入を防止する保護カバーに係り、特に、建物ユニットを被覆する複数に分割されたカバー体から構成され、これらのカバー体を連結して一体にできる建物ユニット用カバーに関する。
【背景技術】
【０００２】
従来、この種の建物ユニットの保護カバーとして特許文献１に記載の建物ユニット用養生カバーがある。この建物ユニット用養生カバーは、シートを用い天井面と四方側面とにより構成され、養生カバーの天井面の建物ユニットを吊架するアイボルトの貫通箇所に、スリットの設けられた弾性材が張設されている。
【先行技術文献】
【特許文献】
【０００３】
【特許文献１】特開平８−２９１６２７号公報
【発明の概要】
【発明が解決しようとする課題】
【０００４】
ところで、前記構造の建物ユニット用養生カバーは、建物ユニットの長辺方向の長さが５メートルを超えるものもあり、例えば、長辺方向の長さが５．４メートル、短辺方向の長さが２．５メートル程度で、高さが２．８メートル程度の建物ユニットに前記の養生カバーを被せる場合、作業性が悪く多人数で作業する必要があった。
【０００５】
また、保護カバーを建物ユニットに被せるには、建物ユニットより大きい袋として構成し、被せたあとに例えば妻側（短辺側）を絞ってたるみを抑えることでカバーを建物ユニットに密着させている。しかし、このように被せられたカバーは、輸送時には建物ユニットの天井面、側面などが走行風により膨らんで、走行を不安定にさせる恐れがあった。
【０００６】
本発明は、このような問題に鑑みてなされたものであって、その目的とするところは、建物ユニットに保護カバーを被せるとき、小人数で効率良く被せることができ作業性の良好な建物ユニット用カバーを提供することにある。また、建物ユニットにカバーを被せたとき、カバーが建物ユニットに密着し、輸送時にカバーが膨らまず、安定した輸送が可能な建物ユニット用カバーを提供することにある。
【課題を解決するための手段】
【０００７】
前記目的を達成すべく、本発明に係る建物ユニット用カバーは、建物ユニットを被覆するカバーであって、該カバーは、複数に分割されたカバー体から構成され、該カバー体は、前記建物ユニットに被せられた状態で、その端部が重ねられて連結されることを特徴としている。カバー体は２つ、あるいは３つ以上に分割され、複数に分割されたカバー体は、その端部が重ねられて連結される。分割する方向は、建物ユニットの長辺方向でも、短辺方向でもよい。
【０００８】
前記のごとく構成された本発明の建物ユニット用カバーは、複数に分割されたカバー体のそれぞれを、例えば建物ユニットの短辺側の側面に密着させて被せ、被せられたカバー体の中央側の端部を重ねて連結するため、被せたときの膨らみを少なくすることができ、輸送時の走行風でカバーが膨らむことを防止でき、安全運転に貢献できる。また、複数に分割され小型化されているため建物ユニットの被覆作業が容易であり、取外しも容易に行える。そして、連結部は複数のカバー体が重ねられ連結されるため、防水性も良好とすることができる。カバー体が３つ以上に分割される場合も、それぞれのカバー体の端部が重ねられて連結されるため、前記のカバー体が２つに分割された場合と同様の作用効果を達成できる。さらに、上から被せる操作でなく、横から被せることができるため、被覆が容易に行なえる。
【０００９】
本発明に係る建物ユニット用カバーの他の態様としては、長辺方向及び短辺方向を有する直方体状の建物ユニットを被覆するカバーであって、該カバーは、長辺方向に直角に２つに分割されたカバー体から構成され、一方のカバー体は、短辺方向の一方の短辺側の側面と、該側面に連続する上面及び長辺側の２つの側面とを備えると共に、前記上面及び２つの側面の端部に連結部が形成され、他方のカバー体は、短辺方向の他方の短辺側の側面と、該側面に連続する上面及び長辺側の２つの側面とを備えると共に、前記上面及び２つの側面の端部に連結部が形成され、前記一方のカバー体及び他方のカバー体は、前記建物ユニットの長辺方向の途中で重ねられるように、長辺方向の長さが設定され、一方のカバー体の連結部と他方のカバー体の連結部により連結されることを特徴としている。
【００１０】
このように構成された本発明の建物ユニット用カバーは、長辺方向に直角に２つに分割されたカバー体を別々に建物ユニットに被せ、短辺側の側面に連続する上面及び長辺側の２つの側面は、長辺方向の途中で重なり、その重なった部分を連結するため、短辺側の側面を密着させた状態で連結することができ、単純な作業で容易にカバーを被せることができる。しかも、水の浸入を防ぎ、防水性を高めることができる。
【００１１】
さらに、本発明に係る建物ユニット用カバーの他の態様としては、長辺方向及び短辺方向を有する直方体状の建物ユニットを被覆するカバーであって、該カバーは、長辺方向に直角に複数に分割されたカバー体から構成され、前記建物ユニットの長辺方向の両端部を被覆する２つの両端カバー体は、それぞれ短辺側の側面と、該側面に連続する上面及び長辺側の２つの側面とを備えると共に、前記上面及び２つの側面の端部に連結部が形成され、前記建物ユニットの中央部を被覆する中央カバー体は、該建物ユニットの中央部の上面と、これに連続する長辺側の２つの側面とを備えると共に、前記上面及び２つの側面の両端部に連結部が形成され、前記２つの両端カバー体及び中央カバー体は、前記建物ユニットの長辺方向の途中で重ねられるように、長辺方向の長さが設定され、両端カバー体の連結部と中央カバー体の連結部により連結されることを特徴としている。
【００１２】
このように構成された本発明の建物ユニット用カバーは、長辺方向に直角に複数に分割されたカバー体を別々に建物ユニットに被せ、両端カバー体の短辺方向の側面を建物ユニットの側面に密着させ、中央カバー体を建物ユニットの中央部に被せ、両端カバー体の連結部と中央カバー体の連結部とが長辺方向の途中で重なり、その重なった部分を連結するため、短辺側の側面を密着させた状態で連結することができ、単純な作業で容易にカバーを被せることができる。しかも、水の浸入を防ぎ、防水性を高めることができる。
【００１３】
また、本発明に係る建物ユニット用カバーの好ましい具体的な態様としては、前記複数のカバー体が重ねられる重ね部には、素材のシート状物の端部に幅の狭いベルト状物と、幅の広いベルト状物が、その端面が揃うように順に固定され、前記複数のカバー体のそれぞれの端面の反対側に、相互に差込み可能な差込部が形成されていることを特徴としている。この構成によれば、複数のカバー体を重ねて連結するとき、双方の差込部を嵌合させて連結部の厚さを薄く構成でき、建物ユニットに複数のカバー体をかぶせたときの総厚さを抑えることができ、建物ユニットを輸送するときに荷台からの突出量を小さく抑えて安全走行を達成できる。また、連結部の差込み部同士が嵌合した状態で折り返すことで、複数のカバー体の連結部の結合状態が安定し、強風等による離脱を防止できると共に、防水性を高めることができる。
【００１４】
本発明に係る建物ユニット用カバーにおいて、前記２つのカバー体の連結部には、素材のシート状物の端部にベルト状物を、その端面が前記シート状物の端部に揃うように固定した連結部が形成されており、前記ベルト状物を基準として前記シート状物を折り返して連結することが好ましい。この構成によれば、シート状物の端部に固定されたベルト状物を基準、すなわち芯としてシート状物を折り返して巻き取り、２つのカバー体を連結して一体化することにより、建物ユニットの被覆状態が安定し、建物ユニットの輸送時等の走行風によるカバーの膨らみを防止でき、安全走行を可能とする。
【００１５】
さらに、前記複数のカバー体は、前記連結部同士が連結された状態で、折り返しできるようにその長辺方向の長さが設定されていることが好ましい。この構成によれば、建物ユニットとカバー体との被覆状態が安定し、建物ユニットの輸送時等の走行風によるカバーの膨らみを防止でき、安全走行を可能とする。
【００１６】
前記連結部は、それぞれのカバー体を構成するシート状物の端部の上面に固定された端部ベルト状物と、該端部ベルト状物の幅より大きい幅の間隔を有してシート状物の上面に固定された内側ベルト状物と、該内側ベルト状物の上面から端部ベルト状物の方向に延出されたシート状物と、該シート状物の下面に前記端部ベルト状物と対向するように固定された上側ベルト状物とから構成されることが好ましい。この構成によれば、一方の連結部の端部ベルト状物と内側ベルト状物との間隔に、他方の連結部の端部ベルト状物を位置させることで一方の連結部の端部ベルト状物が他方の連結部の端部ベルト状物と内側ベルト状物との間隔内に位置するため連結状態が強固となり、その上に一方の連結部の上側ベルト状物と他方の連結部の上側ベルト状物を重ねるため連結状態がさらに強固となり、連結部に張力が作用しても外れることがなく防水性も極めて安定する。
【００１７】
また、前記複数のカバー体は、前記連結部の外周を巻回し該カバー体を前記建物ユニットに締め付ける固定ベルトを備えることが好ましい。この構成によれば、複数のカバー体を、その開口端面で重ねて連結し、連結された重ね部を固定ベルトで締め付けて建物ユニットに密着させることができ、被覆状態が安定して輸送時等に走行風で膨らむことが防止でき、輸送時の安全を達成できる。
【００１８】
本発明に係る建物ユニット用カバーの他の態様としては、長辺方向及び短辺方向を有する直方体状の建物ユニットを被覆するカバーであって、該カバーは、その長辺方向の長さが前記建物ユニットの長辺方向の長さより大きく設定されており、前記カバーは、その長辺方向の途中に、前記長辺方向の大きく設定された長さを折り返して畳み込む折り返し部を備えることを特徴としている。
【００１９】
このように構成された建物ユニットカバーでは、長辺方向の長さが建物ユニットの長辺方向の長さより大きく設定されているため、容易に被せて被覆することができる。そして、長辺方向の余裕のある長さは折り返し部を用いて畳み込むことにより短くすることができ、短辺側の側面にカバーの側面を密着させて直方体状の建物ユニットを全ての面を密着させた状態で覆うことができる。この態様では、カバーは分割されず１つのシート状物で構成されるため、雨水等の内部への浸入を確実に回避できる。
【００２０】
また、前記の構成において、前記折り返し部は、その外周を巻回する固定ベルトで前記建物ユニットに締め付けられることが好ましい。この構成によれば、カバーの長辺方向の余裕のある長さを折り返して畳み込み、短縮化させたあと、この部分を固定ベルトで建物ユニットに締め付けるため、カバーを建物ユニットに安定した状態で被覆することができる。
【発明の効果】
【００２１】
本発明の建物ユニット用カバーは、建物ユニットを容易に被覆することができる。また、２つのカバー体を連結したとき、連結状態が安定して防水性も高めることができる。さらに、建物ユニットをトラック等の荷台に載せて輸送するとき、走行風でカバーが膨らまず、安全運転を可能にできる。また、２つのカバー体の連結部を薄く構成することができ、輸送時にトラックの荷台からの突出量を少なくできるため、安全運転に貢献できる。そして、長辺方向の長さが建物ユニットの長辺方向の長さより大きく設定されたカバーを建物ユニットに被せ、カバーを長辺方向に折り返して畳み込むことで、容易に装着でき、防水性の高い建物ユニット用カバーを提供できる。
【図面の簡単な説明】
【００２２】
【図１】本発明に係る建物ユニット用カバーで被覆する建物ユニットの斜視図。
【図２】図１の建物ユニットの要部斜視図。
【図３】図１，２の建物ユニットと、これを被覆する２つのカバー体を示す要部斜視図。
【図４】図３の建物ユニットと、これを被覆する２つのカバー体の変形例を示す要部斜視図。
【図５】図３に示すカバー体の連結部の要部断面図。
【図６】連結部を差込んで折り返す連結動作を示す説明図。
【図７】連結部を並べて折り返す連結部の変更例を示す説明図。
【図８】本発明に係る建物ユニット用カバーの他の実施形態と、建物ユニットとを示す斜視図。
【図９】連結部の変更例を用いた建物ユニット用カバーの他の実施形態の斜視図。
【図１０】図９の要部詳細図。
【図１１】図９，１０の連結部の断面図。
【図１２】（ａ）は図９に示すカバーの建物ユニット柱上部の止水パッキングを示す断面図、（ｂ）はその分解状態の断面図。
【図１３】図９〜１２の連結部の連結動作を示す断面図。
【図１４】図９に示す建物ユニット用カバーの他の実施形態の変更例を示す斜視図。
【図１５】本発明に係る建物ユニット用カバーのさらに他の実施形態と、建物ユニットとを示す斜視図。
【図１６】図１５に示すカバーの動作を示す要部断面図。
【発明を実施するための形態】
【００２３】
以下、本発明に係る建物ユニット用カバーの一実施形態を図面に基づき詳細に説明する。図１は、本実施形態に係る建物ユニット用カバーで被覆する建物ユニットの斜視図、図２は、図１の建物ユニットの要部斜視図、図３は、図１，２に示す建物ユニットを被覆する２つのカバー体を示す要部斜視図、図４は、その変形例の要部斜視図、図５は、図３に示すカバー体の連結部を示す要部断面図である。
【００２４】
図１，２において、ユニット建物を構成する建物ユニット１は長辺方向及び短辺方向を有する直方体状に形成されており、ユニット建物は、例えば直方体状の複数の建物ユニットを並置すると共に、上下に重ねて構成される。１つの建物ユニット１は、鋼製の構造材、例えば角鋼の柱材、Ｃ鋼の梁材を溶接で直方体状に接合して形成したボックスラーメン構造のものであり、長辺方向の下梁１ａ，１ａ、短辺方向の下梁１ｂ，１ｂ、４本の柱１ｃ，１ｃ，１ｄ，１ｄ、長辺方向の上梁１ｅ，１ｅ、短辺方向の上梁１ｆ，１ｆとから直方体状に形成される。そして、建物ユニット１には、図示していないが、複数の天井根太が上梁１ｅ，１ｅ間に架設され、複数の床根太が下梁１ａ，１ａ間に架設されている。
【００２５】
建物ユニット１には、図２に示すように、長辺方向の上梁１ｅ，１ｅと、短辺方向の上梁１ｆ，１ｆとにより上面２が形成され、短辺方向の上梁１ｆと、短辺方向の下梁１ｂと、柱１ｃ，１ｃとにより一方の短辺側の側面３ａが形成され、短辺方向の上梁１ｆと、短辺方向の下梁１ｂと、柱１ｄ，１ｄとにより他方の短辺側の側面３ｂが形成され、長辺方向の下梁１ａ，１ａと、短辺方向の下梁１ｂ，１ｂとにより下面５が形成される。そして、図１に示すように、４本の柱１ｃ，１ｃ，１ｄ，１ｄに上面には、この建物ユニット１を吊上げるための例えばアイボルト６がねじ込まれるねじ孔が形成されている。
【００２６】
また、建物ユニット１内には、図示していないが、床材、天井材、壁材の他に、必要に応じて、設備機器、配線、配管等が組み込まれている。建物ユニット１は本実施の形態では長辺方向の長さＬ１が５メートルを超える、例えば５．４メートル程度の長さであり、短辺方向の長さＬ２が２．５メートル程度であり、高さＨが２．８メートル程度の直方体をしている。そして、短辺方向の長さＬ２と高さＨで構成される面が短辺側の側面３ａ，３ｂであり、長辺方向の長さＬ１と高さＨで構成される面が長辺側の側面４ａ，４ｂである。なお、長辺方向の長さ、短辺方向の長さ、及び高さは適宜設定できる。
【００２７】
このように構成された建物ユニット１は工場内で製作されたあと、屋外に設置されることがあり、また、建築地までの輸送中に降雨等から保護するために防水性を有する保護カバーで被覆される。本発明は、このように構成された建物ユニット１を覆う保護カバーに関するものであり、本発明の建物ユニット用カバー９は、直方体状の建物ユニット１を被覆するカバーであって、前記のように長辺方向及び短辺方向を有している。
【００２８】
本実施形態のカバー９は、図３に示されるように、長辺方向に直角に２つに分割されたカバー体１０と２０から構成される。カバー体１０及び２０は両者を重ねて連結するユニット中央部の形状が異なるのみで、基本的構成は同じとなっている。カバー体１０は、素材として防水性を有する布等のシート状物１０ａで形成され、例えば、縫製により形成されている。カバー体１０は、短辺方向の一方の短辺側の側面１１と、該側面に連続する上面１２と、長辺側の２つの側面１３，１４とから構成され、下方及び側方の一方が開口する形状を有している。また、カバー体２０は、同様に防水性を有するシート状物２０ａで形成され、短辺方向の他方の短辺側の側面２１と、該側面に連続する上面２２と、長辺側の２つの側面２３，２４とから構成され、下方及び側方の一方が開口する形状を有している。
【００２９】
そして、カバー体１０とカバー体２０は、建物ユニット１の長辺方向の途中で重ねられるようにそれぞれの長辺方向の長さが設定されており、本実施形態では長辺方向の中央部でカバー体１０とカバー体２０とが重なるように、それぞれの長辺方向の長さが等しく設定されている。なお、カバー体１０とカバー体２０の重なり部は、長辺方向の中央部でなく、図４に示されるカバー体１０Ａと、カバー体２０Ａのように、長辺方向の途中で、どちらかの方向に偏っていてもよいことは勿論である。図４では、カバー体１０Ａの長辺方向の長さＬ４は短く、カバー体２０Ａの長辺方向の長さＬ５は長く設定され、同様に連結部１５，２５によりカバー体同士が重なった状態で連結される。
【００３０】
すなわち、カバー体１０の上面１２と、長辺側の側面１３，１４の長辺方向の長さＬ３、及びカバー体２０の上面２２と、長辺側の側面２３，２４の長辺方向の長さＬ３は、建物ユニット１の長辺方向の長さＬ１の半分より大きく設定され、それぞれのカバー体は建物ユニット１の長辺方向の中央部を超えて被覆する長さを有している。すなわち、建物ユニット１にカバー体１０，２０を被せたとき、長辺側の側面は相互に重なる十分な長さを有している。カバー体１０，２０の側方側の開口の端部には、これらのカバー体を重ねて連結する連結部１５，２５が形成されている。これらの連結部の詳細については後述する。
【００３１】
本実施形態のカバー体１０，２０は、建物ユニット１の長辺方向の長さが、その中央部を超える長さに設定され、建物ユニット１を被覆するべく、短辺側の側面を密着させたときに側方の開口部分は、互いに重ねあわされ、折り返しできる長さに設定されている。すなわち、カバー体１０，２０を短辺側の側面を密着させて建物ユニット１に被せたとき、カバー体１０，２０には、詳細には後述するが、重なり部分の幅ａと、折り返し分の幅ｂの半分（ｂ／２）が余分に設定されている。また、カバー体１０，２０の高さは、建物ユニット１の高さＨより僅かに大きい高さに設定されている。
【００３２】
ここで、連結部１５，２５について、図５を参照して詳細に説明する。一方のカバー体１０の連結部１５は、０．３ｍｍ厚程度の布製のシート状物１０ａの側方開口端部に、厚さが１ｍｍ程度で幅が２〜３ｃｍ程度の幅の狭いベルト状物１６ａと、厚さが１ｍｍ程度で幅が４〜５ｃｍ程度の幅の広いベルト状物１６ｂとを、シート状物の外側に、開口側の端面を揃えた状態で順に重ねて縫い合せて固定している。この連結部１５はカバー体１０を構成するシート状物の外側に固定されている。この構成により、連結部１５には開放端面と反対側のシート状物の外側に差込部１７が形成され、連結部１５の厚さは２．３ｍｍ程度となる。
【００３３】
他方のカバー体２０は、反対にシート状物２０ａの内側に連結部２５が形成されている。この連結部２５は、０．３ｍｍ厚程度の布製のシート状物２０ａの側方開口端部に、厚さが１ｍｍ程度で幅が２〜３ｃｍ程度の幅の狭いベルト状物２６ａと、厚さが１ｍｍ程度で幅が４〜５ｃｍ程度の幅の広いベルト状物２６ｂとを、シート状物の内側に、開口側の端面を揃えた状態で順に重ねて縫い合せて固定している。この構成により、連結部２５には開放端面と反対側のシート状物の内側に差込部２７が形成され、連結部２５の厚さは２．３ｍｍ程度となる。そして、カバー体２０の差込部２７にはカバー体１０の連結部１５の幅の広いベルト状物１６ｂが差込まれ、カバー体１０の差込部１７にはカバー体２０の連結部２５の幅の広いベルト状物２６ｂが差込まれ、両カバー体１０，２０が連結される構成となっている。
【００３４】
また、建物ユニット用カバー９を構成するカバー体１０，２０には、上面のコーナーに貫通孔２８（図３参照）が形成されている。この貫通孔２８は建物ユニット１を輸送時や建築時に吊上げるときに、ユニットの四隅の柱１ｃ，１ｃ，１ｄ，１ｄの上端に固定される吊上げ用のアイボルト６を露出するための孔である。この孔には雨水の浸入を防止するパッキングや止水構造を備えることが好ましく、貫通孔の代わりにスリットを設けるように構成してもよい。
【００３５】
そして、本実施形態の建物ユニット用カバー９は、２つのカバー体１０，２０で建物ユニット１を被覆し、連結部１５，２５で２つのカバー体１０，２０を連結したとき、その重ね部の外周を巻回する固定ベルト３１（図６ｄ参照）で締め付けられるように構成されている。固定ベルト３１は重ねあわされた連結部１５，２５の部分を直接巻回して締め付けてもよく、また、重ねあわされた連結部１５，２５を折り返して、折り返された連結部の外周を巻回し、建物ユニット１に締め付けるものでもよく、固定ベルト３１で締め付けることで輸送時の走行風によるカバー９の膨らみを防止することができる。
【００３６】
前記の如く構成された本実施形態の建物ユニット用カバー９の動作、すなわち建物ユニットの被覆方法について、図３，５，６を参照して以下に説明する。建物ユニット１に本実施形態のカバー９を被せて被覆するときは、先ず、一方のカバー体１０を建物ユニット１の例えば左側の半分に被せる。そして、建物ユニット１の左側の上面２と長辺側の側面４ａ，４ｂにカバー体１０の上面１２、側面１３，１４を被せ、左の短辺側の側面３ａにカバー体１０の左側の短辺側の側面１１を密着させる。このカバー体１０を被せると、カバー体１０の右側の開口端部は建物ユニット１の中心を超えて僅かに右側部まで覆われる。なお、図４の場合は、長辺方向の長さの短いカバー体１０Ａの開口側の端部は、中央部より左寄りとなる。
【００３７】
つぎに、建物ユニット１の右側の半分側にカバー体２０を被せる。建物ユニット１の右側の上面２と長辺側の側面４ａ，４ｂにカバー体２０の上面２２、側面２３，２４を被せ、右の短辺側の側面３ｂにカバー体２０の右側の短辺側の側面２１を密着させる。右側のカバー体２０を建物ユニット１に被せると、カバー体２０の左側の開口端部は建物ユニット１の中心を超えて僅かに左側部まで覆われる。なお、図４の場合は、長辺方向の長さの長いカバー体２０Ａの開口側の端部は、中央部より左寄りとなる。このため、建物ユニット１の長辺方向の中央部でカバー体１０と２０は幅ａで重なると共に、さらに幅ｂの弛んだ部分ができる。図４の場合は、長さの異なる２つのカバー体１０Ａ，２０Ａの重なり部は、中央部より左寄りとなる。なお、左右のどちら側からカバー体を被せてもよいのは勿論である。
【００３８】
図６（ａ）に示すように、幅ａの重なり部で、連結部１５と連結部２５とを連結する。すなわち、カバー体１０のシート状物１０ａの開放端部に、ベルト状物１６ａ，１６ｂを縫い合せて固定した連結部１５の差込部１７に、カバー体２０のシート状物２０ａの開放端部に、ベルト状物２６ａ，２６ｂを縫い合せて固定した連結部２５の差込部２７を差込む。これにより、双方の差込部１７，２７に幅の広いベルト状物１６ｂ，２６ｂが差込まれ、カバー体１０と２０とが連結され、カバー体１０と２０とは長手方向に弛んだ状態となる。すなわち、折り返し分の幅の半分（ｂ／２）が重なり部分の幅ａの両側に設定される。
【００３９】
この状態から、図６（ｂ）に示すように、上側に位置する右側のカバー体２０の側のシート状物を連結された連結部１５，２５の下側に潜り込ませ、連結部１５の右側端部を巻き込み、この巻き込み部分をクリップ等の固定具３０で挟んで固定する。次いで、図６（ｃ）に示すように、クリップ３０を持ち上げて反時計方向に回動させ、図６（ｄ）に示すように、クリップ３０で固定された連結部１５，２５を１８０度反転させる。この反転により、カバー体１０，２０の長辺方向の弛みは取り除かれ、カバー体１０，２０の短辺側の側面１１，２１と、建物ユニット１の短辺側の側面３ａ，３ｂとが略密着してカバー９の長辺方向の弛みが除去される。
【００４０】
このあと、建物ユニット１の短辺方向に沿って巻回する固定ベルト３１で、反転された連結部１５，２５の個所を固定する。この固定ベルト３１の締め付けでカバー体１０と２０とを連結したカバー９は短辺方向の弛みが除去され、例えば輸送時の走行風でカバー９が弛むことがなくなり、安全輸送が可能となる。なお、クリップ３０は連結部１５，２５を回動させる途中で取り外してもよく、折り返して反転した状態で取り外してもよい。また、クリップ３０を取り外さずにそのまま固定ベルト３１で締め付けてもよい。さらに、建物ユニット１を巻回して締め付ける固定ベルト３１の本数は１本に限らず、建物ユニット１の長さに合わせて複数本とすることで、例えば輸送時にカバーの膨らみをより低減できる。
【００４１】
このように、本実施形態の建物ユニット用カバー９は、２つに分割された状態で被せることができ、大型の建物ユニットの場合でも作業性がよいため、少ない人数で建物ユニット１を被覆して保護することができる。また、２つのカバー体１０と２０とを連結したとき、相互に連結部１５，２５の差込部１７，２７が食い込まれて連結状態が安定するため、屋外に設置されたときに降雨があっても浸水することなく、建物ユニット１を確実に保護することができる。
【００４２】
さらに、カバー体１０と２０の連結部１５，２５を連結したあと、折り返すことにより２つのカバー体の連結状態は強固となり、防水性が向上すると共に、建物ユニット１からの膨らみを防止することができる。そして、連結部を、あるいは連結部を折り返して固定ベルト３１で建物ユニット１に締め付けることにより、建物ユニット用カバー９は建物ユニット１に密着する。このため、この建物ユニット１を建築現場等へ輸送するとき、トラックの荷台等で走行中に膨らむことが防止され、安全運転に貢献することができる。しかも、２つのカバー体１０と２０を連結する連結部が薄く構成され、本実施形態では全体として３．２ｍｍ程度の厚さで構成されるため、輸送中に荷台等から突出する部分を少なくできる。
【００４３】
また、建物ユニットをトラックの荷台に載せて輸送する際に、本実施形態のカバーを用いて建物ユニットを被覆したとき、２つのカバー体１０，２０の連結部が薄く構成されているため、例えば道路交通法との関係で、規定されている全幅より突出することを防止でき、運搬車両の制限を回避することができる。
【００４４】
前記の実施形態では、２つのカバー体のそれぞれの端部に差込部が形成され、差込部同士を差込んで連結する例を示したが、図７に示されるように、差込まないで重ねて連結するように構成してもよい。図７では、カバー体１０，２０のそれぞれの端部にはベルト状物１６ｃ，２６ｃを固定しており、ベルト状物の端面とシート状物の端部が揃って固定され連結部１５Ａ、及び連結部２５Ａを形成している。この連結部１５Ａは、図７（ａ）に示されるように、カバー体１０を構成するシート状物の外面側にベルト状物１６ｃが固定され、同様に、連結部２５Ａはカバー体２０を構成するシート状物の内面側にベルト状物２６ｃが固定されている。
【００４５】
この実施形態では、図７（ｂ）に示されるように、連結部１５Ａ，２５Ａのベルト状物１６ｃ，２６ｃを並べて接触させ、連結部１５Ａ，２５Ａを重ねた状態で反時計方向に１８０度回転させ、それぞれのカバー体のシート状物が折り返されて重なり、図７（ｃ）のようにベルト状物が並んだ状態で巻き込まれて連結される。このあと、必要に応じて、図６（ｄ）に示すように連結部を固定ベルト（図示せず）で固定して、建物ユニットの被覆が完了する。なお、図示の例では、連結部のベルト状物を並べて折り返し、シート状物を巻き込むようにしたが、ベルト状物を重ねて折り返し、シート状物を巻き込むようにしてもよい。
【００４６】
つぎに、本発明の他の実施形態について、図８を参照して説明する。この実施形態は、前記の実施形態に対して、建物ユニットを被覆するカバーが３つに分割されていることを特徴とするものである。図８において、カバー９Ａは、３つのカバー体１０Ｂ，１０Ｃ，１０Ｄから構成されており、３つのカバー体を重ねて連結することにより建物ユニット１を被覆して保護するものである。
【００４７】
カバー体１０Ｂ，１０Ｃ，１０Ｄは、建物ユニット１の長辺方向に直角に３つに分割され、両端部に位置する端部カバー体１０Ｂ，１０Ｃは長辺方向の長さｃが小さく、中央に位置する中央カバー体１０Ｄは長辺方向の長さｄが大きく設定されている。左右の端部カバー体１０Ｂ，１０Ｃは、建物ユニット１の短辺方向の側面と対接する短辺側の側面と、この側面に連続する長さがｃの上面及び長辺方向の側面を備えている。中央カバー体１０Ｄは、長さがｄの上面とこの上面に連続する長辺方向の側面を備えている。したがって、３つのカバー体１０Ｂ，１０Ｃ，１０Ｄを連結することで、長辺方向の長さｃ＋ｂ＋ｃが建物ユニット１の長辺方向の長さＬ１と略一致するように構成されている。
【００４８】
端部カバー体１０Ｂの開口側端部（右端）には、シート状物の外側に連結部１５ａが形成され、この連結部１５ａと連結される連結部１５ｂが中央カバー体１０Ｄのシート状物の左端内側に形成されている。そして、中央カバー体１０Ｄの右端にはシート状物の外側に連結部１５ｃが形成され、この連結部１５ｃと連結される連結部１５ｄが右の端部カバー体１０Ｃのシート状物の開口側端部（左端）内側に形成されている。これらの連結部は、前記の実施形態と同様に、端部のシート状物を重ねて折り返すような構成となっている。なお、連結部の構成は、図示の例に限られるものでなく、マジックテープのように重ねて連結するものや、ファスナーのように重ねないで連結するもの等、適宜用いることができる。また、端部に位置する端部カバー体１０Ｂ，１０Ｃは長辺方向の長さｃは等しくなくてもよいことは勿論である。
【００４９】
このように構成された３つのカバー体１０Ｂ，１０Ｃ，１０Ｄから構成されるカバー９Ａによれば、大型の建物ユニットを被覆するときでも、３つに分割された小さいカバー体を重ねて連結することができるため作業性が向上し、カバー９Ａは建物ユニット１に密着した状態で建物ユニットを保護することができる。この実施形態でも、カバー体の連結部を固定ベルトで建物ユニットに締め付けることが好ましく、締め付けることでカバーの膨らみを防止することができ、輸送時の走行風の影響を少なくすることができる。
【００５０】
ここで、連結部の変形例について図９〜１２を参照して説明する。この変形例では、建物ユニット用カバー９Ｂは、基本的には建物ユニット１の長辺方向に直角に３つに分割されたカバー体１０Ｅ，１０Ｆ，１０Ｇから構成され、２つのカバー体１０Ｅ，１０Ｆは建物ユニット１の両端部を被覆する両端カバー体であり、カバー体１０Ｇは建物ユニット１の長辺方向の中央部を被覆する中央カバー体である。両端カバー体１０Ｅ，１０Ｆ、及び中央カバー体１０Ｇは、後述する連結部を除いて前記した図８の実施形態と同様の構成となっている。
【００５１】
両端カバー体１０Ｅ，１０Ｆは、それぞれ建物ユニット１の短辺方向の側面３ｂ，３ｃに対向する側面と、これらの側面に連続する上面及び長辺側の２つの側面とを備えており、上面及び２つの側面の端部に連結部３５が形成されている。中央カバー体１０Ｇは、建物ユニット１の中央部の上面と、これに連続する長辺側の２つの側面を備えており、上面及び２つの側面の両端部に連結部３５Ａ，３５Ａが形成されている。そして、２つの両端カバー体１０Ｅ，１０Ｆ、及び中央カバー体１０Ｇは建物ユニット１の長辺方向の途中で重ねられるように、長辺方向の長さが設定され、両端カバー体１０Ｅ，１０Ｆの連結部３５と中央カバー体１０Ｇの連結部３５Ａにより連結される構成となっている。
【００５２】
３つのカバー体１０Ｅ，１０Ｆ，１０Ｇを連結する連結部３５，３５Ａは基本的には同一構成であり、その一方の連結部３５について詳細に説明する。連結部３５は、それぞれのカバー体を構成するシート状物１０ａの端部の上面に固定された端部ベルト状物３６と、端部ベルト状物の幅ｅより大きい幅の間隔ｆを有してシート状物３６の上面に固定された内側ベルト状物３６ａと、内側ベルト状物３６ａの上面から端部ベルト状物３６の方向に延出されたシート状物３７と、シート状物３７の下面に端部ベルト状物３６と対向するように固定された上側ベルト状物３７ａとから構成されている。各ベルト状物は素材であるシート状物１０ａに縫い込んで固定され、あるいは接着等で固定されている。
【００５３】
上側シート状物３７ａの下端は他のベルト状物より僅かに延長され、固定ベルトとして機能する固定用のＤリング３８が固定されている。このＤリングはシングルのもの、ダブルのもののどちらでも適用でき、図示していないベルトや紐等で反対側のＤリングに連結され、連結部を建物ユニット１に密着させることができる。両端カバー体１０Ｅ，１０Ｆの建物ユニット１の短辺方向の側面３ａ，３ｂと対向する面には、下端にベルト状物３９が固定され補強されている。このベルト状物３９は、見栄えを向上させる補強であり、建物ユニット１を輸送するときに走行風によるバタツキが防止される。同様のベルト状物を中央カバー体１０Ｇの下端部に固定してもよい。また、ベルト状物３９は両側部に連続して固定してもよい。
【００５４】
そして、本実施形態では、内側シート状物３６ａの幅は端部ベルト状物の幅ｅと同じに設定され、上側シート状物３７ａの幅も同じ幅ｅに設定されている。さらに、上側シート状物３７ａと内側シート状物３６ａとの間隔も幅ｅより大きい間隔ｆに設定されている。このため、幅ｅの上側シート状物３７ａと内側シート状物３６ａは、これより大きい幅の間隔ｆ内に嵌合することができる構成となっている。また、シート状物３７はシート状物１０ａと同様に布や不織布等で構成され、湾曲させることや折り返すこと、手繰り寄せることが可能となっている。
【００５５】
両端カバー体１０Ｅ，１０Ｆの建物ユニット１の柱１ｃ上部に対応する位置には、図１２に示されるように、雨水等の浸入を防止する止水パッキング７が矩形状の補強カバーを介して水密状態に固定されている。この止水パッキング７はドーナッツ状に形成され、前記貫通孔２８に嵌合され、建物ユニット１の柱１ｃ上部に前記したアイボルト６や、栓ボルト８を螺合した状態で防水構造にすることができるものである。
【００５６】
止水パッキング７は例えば軟質のゴムやシリコンゴムで形成され、中央にはアイボルト６等が貫通する貫通孔が形成されている。そして、貫通孔の周囲は傾斜面となっており、栓ボルト８を螺合させるときには栓ボルトの傾斜面が密着するように構成されている。止水パッキング７の貫通孔にアイボルト６や栓ボルト８を螺合させることで、両端カバー体１０Ｅ，１０Ｆは建物ユニット１に固定される。なお、栓ボルト８には六角穴が形成され、この六角穴に六角レンチを挿入し建物ユニット１の柱材１ｃの上部のナット１ｇにねじ込む構成である。
【００５７】
このように構成された連結部３５，３５Ａを備える建物ユニット用カバー９Ｂの連結動作を図１３に基づいて説明する。連結部３５，３５Ａによれば、図１３（ａ）に示すように、一方の連結部３５の端部ベルト状物３６と内側ベルト状物３６ａとの間隔ｆに、他方の連結部３５Ａの端部ベルト状物３６を位置させると、一方の連結部の端部ベルト状物３６が他方の連結部３５Ａの端部ベルト状物３６と内側ベルト状物３６ａとの間隔ｆ内に位置する。このため、２つの連結部の端部ベルト状部３６，３６と、内側ベルト状物３６ａ，３６ａとが交互に位置し、その厚みで引っ掛かるため連結状態が強固となる。
【００５８】
そして、図１３（ｂ）に示すように、一方の連結部３５のシート状物３７と上側ベルト状物３６ａとを重ね、さらに、図１３（ｃ）に示すように、他方の連結部３５Ａのシート状物３７と上側ベルト状物３６ａとを重ねるため、連結状態がさらに強固となる。また、連結部分は連結部３５と連結部３５Ａのシート状物が４層となり、相互に噛み合った状態となるため、防水性能が向上し漏水の恐れが非常に少なくなる。なお、図示していないが、この連結部分を固定ベルトで締め付けて建物ユニットに密着させるように構成してもよい。このように、連結部３５，３５Ａを用いてカバー体１０Ｅ，１０Ｆ，１０Ｇを連結することで、作業性が向上し、建物ユニット１を確実に保護することができる。
【００５９】
つぎに、前記した接続部の変形例を用いた建物ユニット用カバーの変形例について、図１４を参照して説明する。図１４は建物ユニット用カバーの変形例の斜視図である。図１４において、建物ユニット用カバー９Ｃは、２つのカバー体１０Ｈ，１０Ｉとから構成されている。２つのカバー体１０Ｈ，１０Ｉは、前記した実施形態と同様の構成の連結部３５，３５Ａを、それぞれの対向する端部に備えており、これらの連結部を重ねて連結し、カバー９Ｃを構成するものである。この実施形態のカバー９Ｃは、前記の実施形態と同様に、一対の連結部３５，３５Ａを用いて、２つのカバー体１０Ｈ，１０Ｉを容易に連結でき、防水性能も極めて高く、漏水を防止できる。しかも、一対の連結部のみをつなげる操作で建物ユニットを確実に保護することができる。
【００６０】
つぎに、本発明のさらに他の実施形態につき、図１５，１６を参照して説明する。図１５，１６において、本実施形態に係る建物ユニット用カバー４０は、長辺方向及び短辺方向を有する直方体状の建物ユニットを被覆するカバーであって、このカバー４０は、その長辺方向の長さＬ６が建物ユニット１の長辺方向の長さＬ１より大きく設定されている。このカバー４０は、前記の実施形態のカバー１０と同様に、上面被覆部４１、短辺方向の短辺側側面部４２，４３、及び長辺方向の長辺側側面部４４，４５とを備えており、下方開口の直方体状をしている。
【００６１】
そして、カバー４０には、その長辺方向の途中に、長辺方向の大きい長さＬ６を建物ユニット１の長辺方向の長さＬ１に合わせるべく、折り返して畳み込む心材となる折り返し部４６を備えている。この折り返し部４６を構成する心材は厚手のベルト状部から形成され、その長辺方向に沿う幅ｗは長辺方向の余裕（Ｌ６−Ｌ１）により設定される。すなわち、折り返し回数が１回の場合は、前記の余裕はｗの３倍程度に設定され、折り返し回数が２回の場合は、前記の余裕はｗの５倍程度に設定される。
【００６２】
この実施形態のカバー４０は、長辺方向の長さの余裕を吸収するための折り返し部４６を、上面被覆部４１と、長辺方向の側面被覆部４４，４５に連続して備えている。そして、カバー４０は、長辺方向の余裕を折り返して畳み込んだ状態で、この折り返し部４６を建物ユニット１に締め付けて固定する固定ベルト４７を備えている。
【００６３】
このように構成された本実施形態の建物ユニット用カバー４０は、建物ユニット１の長辺方向の長さＬ１よりカバー４０の長辺方向の長さＬ６が大きく設定されているため、建物ユニット１に容易に被せることができる。そして、被せた状態で、長辺方向の途中にある折り返し部を構成するベルト状部４６を、図１６（ａ）に示すように反時計方向に１８０度回転させる。この結果、図１６（ｂ）に示されるように、折り返し部の幅ｗに対してカバー４０のシート状部４０ａが３回折り返され、幅ｗの３倍の長さが折り返しにより畳み込まれて吸収される。従って、長辺方向の余裕（Ｌ６−Ｌ１）がｗの３倍程度の場合は、図１６（ｂ）のように、１回折り返すことで余裕がなくなり、建物ユニット１の短辺側の側面３ａ，３ｂと、カバー４０の短辺側の側面４２，４３とが密着した状態となる。
【００６４】
また、図１６（ｂ）の状態から、折り返し部４６をさらに反時計方向に１回、すなわち合計２回折り返すと、図１６（ｃ）の状態となる。この状態では、折り返し部４６によりカバー４０を構成するシート状部４０ａは５回折り返され、幅ｗの５倍の長さが折り返しにより畳み込まれて吸収される。従って、長辺方向の余裕（Ｌ６−Ｌ１）がｗの５倍程度の場合は、図１６（ｃ）のように、２回折り返すことで余裕がなくなり、建物ユニット１の短辺側の側面３ａ，３ｂと、カバー４０の短辺側の側面４２，４３とが密着した状態となる。
【００６５】
このあと、図１６（ｂ）の状態、あるいは図１６（ｃ）の状態で固定ベルト４７により折り返し部４６を建物ユニット１の外周面に締め付けて固定する。これにより、建物ユニット用カバー４０は短辺側の側面４２，４３、及び長辺側の側面４４，４５が全て建物ユニット１の短辺側の側面３ａ，３ｂ、及び長辺側の側面４ａ，４ｂに密着した状態で被覆される。このため、カバー４０が被せられた状態で建物ユニット１が屋外に設置されても、強風等であおられてもカバー４０は膨らむことはなく、安定して建物ユニット１を保護することができる。また、建物ユニット１を輸送する場合でも、カバー４０は走行風で膨らむことが防止され、安定走行が可能となる。
【００６６】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、建物ユニットを被覆する２つのカバー体は連結されて一体化し、建物ユニットを保護するが、この連結手段については限定されるものでなく、例えば、ファスナー等や、他の構成の連結手段を用いてもよい。
【００６７】
また、本発明の建物ユニットを保護するカバーは、直方体状の建物ユニットを被覆する形状のものに限られず、立方体状や他の形状の建物ユニットにも適用できることは勿論である。
【産業上の利用可能性】
【００６８】
本発明の活用例として、建物ユニット用カバーを用いて建物ユニットを容易に被覆でき、被覆された建物ユニットを保管するときに雨水等の浸入を防止でき、また輸送するときにカバーの膨らみが防止され安全に輸送することができる。
【符号の説明】
【００６９】
１：建物ユニット、２：上面、３ａ，３ｂ：短辺側の側面、４ａ，４ｂ：長辺側の側面、５：下面、６：アイボルト、９，９Ａ，９Ｂ：建物ユニット用カバー、１０，１０Ａ，２０，２０Ａ：カバー体、１０Ｂ，１０Ｃ，１０Ｄ、１０Ｅ，１０Ｆ，１０Ｇ，１０Ｈ，１０Ｉ：カバー体、１０ａ，２０ａ：シート状物（素材）、１１，２１：短辺側の側面、１２，２２：上面、１３，１４，２３，２４：長辺側の側面、１５，１５Ａ，２５，２５Ａ：連結部、１５ａ，１５ｂ，１５ｃ，１５ｄ：連結部、１６ａ，２６ａ：幅の狭いベルト状物、１６ｂ，２６ｂ：幅の広いベルト状物、１６ｃ，２６ｃ：ベルト状物、１７，２７：差込部、２８：貫通孔、３０：クリップ（固定治具）、３１：固定ベルト、３５，３５Ａ：連結部、３６：端部ベルト状物、３６ａ：内側ベルト状物、３７：シート状物、３７ａ：上側ベルト状物、３８：固定用Ｄリング（固定ベルト）、Ｌ１：建物ユニットの長辺方向の長さ、Ｌ２：建物ユニットの短辺方向の長さ、Ｌ３：カバー体の長さ、ａ：連結部の重ねあわせ部の長さ、ｂ：折り返し部の長さ、４０：建物ユニット用カバー、４６：折り返し部、４７：固定ベルト、Ｌ６：建物ユニット用カバーの長辺方向の長さ、ｅ：端部ベルト状物、内側ベルト状物、上側ベルト状物の幅、ｆ：間隔
【図１】
2010133214.tif 000003
【図２】
2010133214.tif 000004
【図３】
2010133214.tif 000005
【図４】
2010133214.tif 000006
【図５】
2010133214.tif 000007
【図６】
2010133214.tif 000008
【図７】
2010133214.tif 000009
【図８】
2010133214.tif 000010
【図９】
2010133214.tif 000011
【図１０】
2010133214.tif 000012
【図１１】
2010133214.tif 000013
【図１２】
2010133214.tif 000014
【図１３】
2010133214.tif 000015
【図１４】
2010133214.tif 000016
【図１５】
2010133214.tif 000017
【図１６】
2010133214.tif 000018